(57)【特許請求の範囲】
【請求項１】
被検眼に呈示する検査視標を遠方から被検眼に向かって移動する移動手段を持ち、被検者が判読できたときの視標位置に基づいて動体視力を検査する動体視力検査装置において、前記移動手段により移動する検査視標を任意の位置で消失させる視標消失手段と、被検眼の静止視力値を入力する静止視力入力手段と、該入力された静止視力値に基づいて前記視標消失手段により消失させる視標位置を定める位置決定手段とを備え、検査視標を消失させた後にその視標を判読させることにより動体視力を検査することを特徴とする動体視力検査装置。
【請求項２】
請求項１の動体視力検査装置において、前記位置決定手段は入力された静止視力値に対して所定の視力値段階分だけ低い視力値に相当する位置を視標の消失位置とすることを特徴とする動体視力検査装置。
【請求項３】
請求項１の動体視力検査装置において、前記位置決定手段は多数の被検者による静止視力値と動体視力値の統計的データに基づいて前記視標消失位置を定めることを特徴とする動体視力検査装置。
【請求項４】
請求項１の動体視力検査装置において、被検者の年齢を入力する年齢入力手段を持ち、前記位置決定手段は該年齢入力手段により入力される年齢に基づいて前記視標消失位置を可変して定めることを特徴とする動体視力検査装置。
【請求項５】
請求項１の動体視力検査装置において、さらに前記移動手段により移動する検査視標の呈示開始位置を入力された静止視力値に基づいて定める呈示位置設定手段を備えることを特徴とする動体視力検査装置。
【請求項６】
被検眼に呈示する検査視標を遠方から被検眼に向かって移動する移動手段を持ち、被検者が判読できたときの視標位置に基づいて動体視力を検査する動体視力検査装置において、前記移動手段により移動する検査視標を任意の位置で消失させる視標消失手段と、被検眼に視標呈示を開始する呈示位置を前記視標消失手段による消失位置との関係に基づいて設定する呈示位置設定手段とを備え、検査視標を消失させた後にその視標を判読させることにより動体視力を検査することを特徴とする動体視力検査装置。
【請求項７】
請求項６の動体視力検査装置において、前記呈示位置設定手段は前記視標消失位置の視力値に対して所定の視力値段階分だけ高い視力値に相当する位置を視標呈示の開始位置とすることを特徴とする動体視力検査装置。
【発明の詳細な説明】
【０００１】
【発明の属する技術分野】
本発明は、被検眼の動体視力を検査する動体視力検査装置に関する。
【０００２】
【従来技術】
車の運転時などにおける動くものの見え方（動体視力）を検査する装置として動体視力検査装置が知られている。従来、この種の装置はランドルト環等の検査視標を遠方から所定の速度で被検眼に向かって移動し、被検者には視標を判読できたときに応答スイッチ等を押させ、その応答時の視標位置に基づいて動体視力を測定していた。また、被検者が判別できたランドルト環の方向をジョイスティックで直接応答するようにして自動化を図ったものも提案されている。
【０００３】
【発明が解決しようとする課題】
しかしながら、上記のようにスイッチやジョイスティックにより応答させることは、その反応時間の影響の問題がある。すなわち、動体視力検査では視標が移動しているので、被検者は視標の判別ができたにも拘わらずスイッチ等の操作による応答反応が遅れると、その分検査視標が移動してしまう。その結果、動体視力値の低下としてとらえられ、正確な測定結果が得られなくなる。特に、高齢者は反応時間が遅れがちであり、スイッチ操作自体に手間取ることもある。
【０００４】
この対応としては、遠方から移動する視標を任意の位置で見えなくして（視標を消失させ）、その方向を後で応答させることも考えられるが、この場合には静止視力検査と同様の検査回数が必要となり、検査時間が大幅に長くなる。
【０００５】
本発明は、上記従来技術の欠点に鑑み、被検者の反応時間に拘わりなく動体視力を正確に検査でき、その検査時間も短くして効率的に検査を行うことができる動体視力検査装置を提供することを技術課題とする。
【０００６】
【課題を解決するための手段】
上記課題を解決するために、本発明は以下のような構成を備えることを特徴とする。
【０００７】
（１）  被検眼に呈示する検査視標を遠方から被検眼に向かって移動する移動手段を持ち、被検者が判読できたときの視標位置に基づいて動体視力を検査する動体視力検査装置において、前記移動手段により移動する検査視標を任意の位置で消失させる視標消失手段と、被検眼の静止視力値を入力する静止視力入力手段と、該入力された静止視力値に基づいて前記視標消失手段により消失させる視標位置を定める位置決定手段とを備え、検査視標を消失させた後にその視標を判読させることにより動体視力を検査することを特徴とする。
【０００８】
（２）  （１）の動体視力検査装置において、前記位置決定手段は入力された静止視力値に対して所定の視力値段階分だけ低い視力値に相当する位置を視標の消失位置とすることを特徴とする。
【０００９】
（３）  （１）の動体視力検査装置において、前記位置決定手段は多数の被検者による静止視力値と動体視力値の統計的データに基づいて前記視標消失位置を定めることを特徴とする。
【００１０】
（４）  （１）の動体視力検査装置において、被検者の年齢を入力する年齢入力手段を持ち、前記位置決定手段は該年齢入力手段により入力される年齢に基づいて前記視標消失位置を可変して定めることを特徴とする。
【００１１】
（５）  （１）の動体視力検査装置において、さらに前記移動手段により移動する検査視標の呈示開始位置を入力された静止視力値に基づいて定める呈示位置設定手段を備えることを特徴とする。
【００１２】
（６）  被検眼に呈示する検査視標を遠方から被検眼に向かって移動する移動手段を持ち、被検者が判読できたときの視標位置に基づいて動体視力を検査する動体視力検査装置において、前記移動手段により移動する検査視標を任意の位置で消失させる視標消失手段と、被検眼に視標呈示を開始する呈示位置を前記視標消失手段による消失位置との関係に基づいて設定する呈示位置設定手段とを備え、検査視標を消失させた後にその視標を判読させることにより動体視力を検査することを特徴とする。
【００１３】
（７）  （６）の動体視力検査装置において、前記呈示位置設定手段は前記視標消失位置の視力値に対して所定の視力値段階分だけ高い視力値に相当する位置を視標呈示の開始位置とすることを特徴とする。
【００１５】
【発明の実施の形態】
本発明の実施の形態を図面に基づいて説明する。図１は視力検査装置の外観図であり、動体視力検査と静止視力検査が可能な装置を例にとって説明する。
【００１６】
１は装置本体であり、２は被検者が装置内を覗き込み、後述する光学系により筐体内に呈示される検査視標を観察するための検査窓である。装置本体１の側面には、検者が操作するための各種のスイッチを持つ操作パネル３が配置されている。
【００１７】
装置本体１の下部の前側には被検者が操作する操作部が装置本体１の筐体と一体的に設けられている。５は呈示されるランドルト環視標の切れ目方向を被検者が応答入力するためのジョイスティック５であり、これは被検者自身で検査を行う自動検査モード時に使用する。また、４は自動検査モード時に呈示視標の判別ができないときにその旨を応答入力するための応答ボタンである。６は自動検査モード時に被検者自身で検査を始めるときに使用するスタートボタンであり、７は音声ガイドの音量を調節するための音量ツマミである。音声ガイドの声は装置本体１内部に配置されているスピーカ９によって発生する。
【００１８】
８は検査結果を印字出力するプリンタである。１０は開閉扉であり、その内部には動体視力検査時に移動する視標の見かけ上の速度を変更するための速度切替スイッチが内蔵されており、２０〜６０km／hの間で１０km／h毎に変更できるようになっている。普段は３０km／hに設定されている。
【００１９】
図２は装置の光学系と制御系の要部を示す図である。１０は視標板１１に設けられた視標を照明するための照明光源である。視標板１１には４種類（上下左右に切れ目を持つ）のランドルト環視標が同心円上に配置されており、回転装置２１の回転により呈示する視標が個別に選択される。
【００２０】
照明光源１０の点灯により視標板１１上の視標は照明され、視標板１１からの視標光束はプリズム１２によって反射してレンズ群１３を通った後、ミラー１４を反射してレンズ群１５に向かう。レンズ群１３、１５はアフォーカル系にするために配置されており、レンズ群１３からレンズ群１５間の距離はレンズ群１３の焦点距離とレンズ群１５の焦点距離との和になっている。
【００２１】
レンズ群１５を通過した光束はプリズム１６へ入射する。プリズム１６は入射された光束を左右に分け、ミラー１７Ｒとミラー１７Ｌ（紙面の裏側方向にあり、図では省略している）により視標光束をそれぞれ反射させて被検者の左右の被検眼へ入射させる。
【００２２】
また、プリズム１２は移動装置２２によって移動され、光学的に被検眼と視標との距離を見かけ上４８ｍ〜３ｍまで変更することが可能である。視標板１１上の視標は、被検眼と視標との距離が４８ｍのときに視力値１．６、３０ｍのときに視力値１．０、３ｍのときに視力値０．１となるように設計されている。
【００２３】
１８は検査窓２に配置された保護ガラスであり、ミラー１７Ｒ、１７Ｌに合せて左右に１ずつ用意されている。また、片眼検査を行う際には、保護ガラス１８の手前の光路上に図示無きシャッタが挿入されるようになっている。
【００２４】
２０は本装置の制御部であり、パネル部３、応答ボタン４、ジョイスティック５が接続されている。制御部２０は後述する検査モードの検査プログラムを記憶しており、検査モードの選択によって各スイッチ入力される信号により、照明光源１０の点灯及び消灯、回転装置２１、移動装置２２、音声ガイド発生部２３の作動を制御する。また、制御部２０には測定結果等を記憶するメモリ２４、プリンタ８が接続されている。
【００２５】
図３は操作パネル３のスイッチ構成を示す図である。３０は検査モード選択スイッチである。検査モードには、音声ガイドに従って被検者自信がスイッチ操作を行うことで検査を進めることができる自動検査モードと、検者が各スイッチ操作で検査を進める手動検査モードと、検査手順の指示や条件設定は装置が行い、被検者の応答のみを検者が入力することで検査を進める半自動検査モードの３種類がある。半自動検査モードは、被検者が高齢者で音声ガイドに従ったジョイスティック操作が困難であり、検者も検査に不慣れな場合に効果的である。
【００２６】
３１は検査する対象の被検眼（左、右、両眼）の選択を行うスイッチである。３２は手動検査モード時に静止視力検査を選択及び開始するためのスイッチで、スイッチ３３ａにより視力値を選択し、その視力値は表示器３３ｂに表示される。３５は視標スイッチ部で、ランドルト環視標の切れ目方向を上下左右の４方向で入力する４つのスイッチが設けられている。また、呈示された視標の種類は４つのスイッチに対応して設けられたランプ３５aの点灯により知ることができるようになっている。３６は判読不能の旨を検者が入力するスイッチである。３４は手動検査モード時に動体視力検査を選択及び開始するスイッチであり、スイッチ３７ａで動体視力値（後述する視標消失位置の視力値）を設定でき、その視力値は表示器３７ｂに表示される。３８は印刷スイッチである。
【００２７】
以上のような構成を持つ装置において、その動作を各検査モード毎に説明する。
【００２８】
＜自動検査モード＞
スイッチ３１により検査する被検眼を選択する。ここでは両眼検査が選択されたものとする。その後、スイッチ３０により自動検査モードに設定しておく。このモードでは静止視力検査と動体視力検査が順に行われるようにプログラムされている。
【００２９】
自動検査モードが選択されると、制御部２０は視力値０．１の視標を呈示するようにプリズム１２を移動する。被検者は検査窓２に眼を位置させ、スタートボタン６を押して検査を開始する。制御部２０は音声ガイド発生部２３を駆動してスピーカ９から被検者に対して音声による検査手順を指示する。装置は被検者の検査準備ができたかを確認するため、音声ガイドにより視力値０．１の視標が見えたらジョイスティック５を倒すよう指示する。被検者がジョイスティック５を倒すと、まず、静止視力検査のプログラムが実行される。
【００３０】
制御部２０は視標視力値が０．５になるようにプリズム１２を移動させ、音声ガイドにより、視標方向が判別できたらジョイスティック５をその方向に倒すように指示する。また視標方向が判別できないときには応答ボタン４を押すように指示する。
【００３１】
被検者は視標の判別についてジョイスティック５若しくは応答ボタン４で応答する。ジョイスティック５を倒した方向が正しければ、制御部２０は視標視力値を一段階上げる（視力値０．６）。また、判別できない場合、若しくは間違っていた場合には視標視力値を一段階下げる（視力値０．４）。また、一段階上げて判別できなくなった場合には視標視力値を見えていた段階まで戻し、さらに視標方向を変えて検査を続ける。制御部２０は、同一視力視標で２回以上正答があれば、その視力があるものとする。この検査で求められた静止視力値はメモリ２４に記憶される（静止視力値が入力される）。
【００３２】
静止視力検査が終了すると動体視力検査へと移る。制御部２０は遠方から被検眼に向かって視標を移動するようにプリズム１２を移動させ、ある位置で照明光源１０を消灯することにより視標を見えなくする（以下、消失という）。被検者には視標消失後に、その判読結果をジョイスティック５等により応答してもらう。このとき、第１回目の視標呈示は、先に求められた静止視力検査での視力値に対して所定の視力値段階分低い（視標サイズが大きい）視力値に相当する位置を視標の消失位置とする。通常、動体視力は静止視力よりも低下した値となるので、初期呈示する視標の視力値を静止視力値からの低下の程度に応じて定めることにより、個々の被検者の動体視力に近い視力値から検査を開始して、検査時間を短くすることができる。一般的な被検者の動体視力は、静止視力に対して平均的に２段階程低い値となるので、本形態では静止視力値に対して２段階低い視力値の位置で視標を消失させて検査を開始するように設定されている。
【００３３】
また、制御部２０は遠方から被検眼に向かって視標を移動する際、消失させる視標位置の視力値に対して、視力値で所定の視力値段階分だけ高い（遠方）位置から視標の移動を開始する。本形態では４段階分だけ高い位置から視標の移動をスタートするように設定されている（例えば、消失位置の視力値０．５のときは視力値０．９の位置から視標の移動が開始される）。すなわち、１回の視標呈示の時間は視力値で４段階分の移動時間に相当する分だけ行われることになる。視標呈示の最大距離の位置（視標サイズが最小となる位置）は視力値で１．６となる位置であるが、常にこの遠方位置から視標を移動すると、その分移動に時間がかかり、検査時間が長くなる。これに対して、上記のように視標を消失させる位置との関係から視標の移動開始位置を設定すると、その分移動時間が短くてすみ、検査時間も短縮できることになる。
【００３４】
制御部２０はこのように１回目の視標呈示（初期視標呈示）を行ってその視標を消失させた後、音声ガイドにて判読できた視標の方向へジョイスティク５を倒すように被検者に指示する。被検者は判読できたらジョイスティク５をその方向へ倒して応答を入力する。また、判読できないときは応答ボタン４で判読不可の旨を入力する。なお、制御部２０は視標を消失させてからの時間を計測しており、視標消失から所定時間（４秒）の間に応答入力がないときは、判読できない（誤答である）ものと判定する。
【００３５】
初期視標呈示に対して被検者の応答が正しければ、制御部２０は次に呈示する視標の消失位置を１段階上げ（視標サイズが１段階小さくなる位置で視標を消失させ）、呈示視標の移動もその消失位置より４段階分の遠方から開始する。以後、誤答があるまで呈示視標を消失させる位置と視標呈示の開始位置を順次上げていく。逆に、初期視標呈示に対して被検者の応答が誤りであれば、制御部２０は次に呈示する視標の消失位置を１段階下げ（視標サイズが１段階大きくなる位置で視標を消失させ）、呈示視標の移動もその消失位置より４段階分の遠方から開始する。以後、正答があるまで呈示視標を消失させる位置と視標呈示の開始位置を順次下げていく。
【００３６】
なお、初期呈示から変化させる視標の消失位置は２段階以上変化させても良く、初期呈示の視力値に対して最終動体視力値が大きく離れている場合には、求める視力値の範囲を効率的に狭めることができるようになる。
【００３７】
このようにして動体視力検査も視力値別に視標の消失位置を順次変化させ、同一の視力値の視標について２回の正答があれば、その視力値の動体視力があると判定し、同一の視力値の視標について２回の誤答があると、その視力値未満の動体視力であると判定する。このように視標消失させた後にその視標を判読する方式では、動体視力値の判定が被検者の応答時間の遅れに影響されないので、正確な検査結果が得られるようになる。また、被検者は視標消失後に余裕を持ってジョイスティック５等を操作すればよいので、被検者への負担も軽減される。
【００３８】
こうした動体視力検査の検査手順に従って、例えば、静止視力が１．０であった被検者の動体視力値０．９が決定されるまでの過程を示すと、図４のようになる（最終動体視力の視標に対して誤答がないものとしている）。この例では、静止視力値より２段階低い視力値０．８の初期視標呈示から検査が始まり、トータル５回の検査回数で検査を終えている。これに対して、前述した静止視力検査時と同様に常に視力値０．５の初期呈示から検査を行うものとすると、トータル８回もの検査回数が必要とされる。
【００３９】
以上のようにして動体視力値が得られると、音声ガイドにより検査の終了が伝えられ、プリンタ８から検査データが自動的にプリントアウトされる。
【００４０】
＜手動検査モード＞
手動検査モードをスイッチ３０で設定する。その後、スイッチ３２を押すと静止視力検査を開始でき、初めは視力０．５の視標が自動的に呈示される。検者は被検者に視標の切れ目方向が判別できるか尋ねながら検査を進め、スイッチ３３で視力値を変更し、視標スイッチ部３５の４つの視標スイッチにより視標の方向を切替えて検査を行う。同一視力値で３個中２個以上の正答が得られれば、その視力があるとする。
【００４１】
続けて動体視力検査に移行するときは、スイッチ３４を押す。このとき、表示器３３ａに最後に表示されている値が静止視力値として入力され、メモリ２４に記憶される。スイッチ３４が押されると、制御部２０はメモリ２４に記憶された静止視力値に対して２段階低い視力値の位置で視標を消失させるように、かつ、その消失位置の視力値に対して４段階高い視力値に相当する遠方距離から視標の移動を行う。被検者には呈示視標の消失後に口頭で方向を応答してもらい、検者は応答の正誤により次に呈示する視標の消失視力値をスイッチ３７ａで設定し、視標スイッチ部３５により視標の方向を設定する。その後、スイッチ３４が押されると制御部２０は視標の移動を開始する。このときも、視標の移動は設定された消失位置に対して視力値で４段階分だけ遠方距離からスタートする。こうした手順を繰り返して、同一視力値で３個中２個以上の正答が得られれば、その視力があるとする。印刷スイッチ３８が押されると、最後に表示器３７ｂに表示されている値が動体視力値として決定されて、検査結果として出力される。
【００４２】
＜半自動検査モード＞
半自動検査モードをスイッチ３０で設定する。このモードでは音声ガイドに従って被検者が応答することにより、静止視力検査と動体視力検査が自動検査モードと同様な手順で自動的に行われていくが、視標の判別の応答入力についてはジョイスティック５によらず、被検者からの口頭による応答を得て検者が入力する。この入力は視標選択スイッチ部３５、スイッチ３６により行う。制御部２０はスイッチの入力信号により応答の正誤を判定し、視力値を自動的に決定する。
【００４３】
以上説明した動体視力検査では、初期呈示する視標の消失位置を静止視力値に対して一定の視力値分だけ低い値の位置としたが、被検者が高齢になるほ動体視力の低下の傾向が強くなるので、静止視力に対する初期呈示の視標消失位置を被検者の年齢から予想される動体視力の値に変化させるようにしても良い。例えば、図５に示すように、５９歳以下、６０〜６９歳、７０歳以上というように被検者の年齢を段階別に入力するたスイッチ４０を操作パネル３に設ける。初期呈示の視標消失位置の変化は、静止視力に対して５９歳以下では上記と同じく視力値で２段階低くし、６０〜６９歳では視力値で４段階低くし、７０歳以上では視力値で６段階低くする。こうすると、被検者の年齢に応じて低下する動体視力により近い値の初期呈示で検査を行うことができる。
【００４４】
さらに、これら初期呈示における視標消失位置の静止視力に対する設定は、多数の被検者による静止視力と動体視力の統計的な検査データに基づいて定めるようにすれば、その正確性を高めることができるようになる。
【００４５】
また、上記実施形態の動体視力検査では、入力された静止視力値に基づいて視標消失位置を定め、その視標消失位置に対して所定の視力値段階分だけ高い位置から視標の移動を開始するものとしたが、これは次のようにしても良い。すなわち、静止視力値に基づいて呈示する視標の移動開始位置を定め、さらにその移動開始位置からある段階分低い視力値に相当する位置を視標消失位置とする。このような変容も本発明と技術思想を同一にし、本発明に含まれるものである。
【００４６】
【発明の効果】
以上説明したように、本発明によれば、被検者の反応時間に拘わりなく動体視力を正確に検査でき、かつ、その検査時間を短くして効率的に検査を行うことができる。
【図面の簡単な説明】
【図１】実施形態の視力検査装置の外観図である。
【図２】装置の光学系と制御系の要部を示す図である。
【図３】操作パネルのスイッチ構成を示す図である。
【図４】静止視力が１．０であった被検者の動体視力値０．９が決定されるまでの過程を示す図である。
【図５】被検者の年齢を入力するスイッチを設けた変容例を示す図である。
【符号の説明】
２  検査窓
３  操作パネル
５  ジョイスティック
１０  照明光源
１１  視標板
１２  プリズム
２０  制御部
２１  回転装置
２２  移動装置
２４  メモリ
【図１】
0003679258.tif 000002
【図２】
0003679258.tif 000003
【図３】
0003679258.tif 000004
【図４】
0003679258.tif 000005
【図５】
0003679258.tif 000006